(57)【要約】【課題】  ＩＰ識別パケット構成およびＩＰ割当装置、これを用いたＩＰ識別パケット構成およびＩＰ割当方法を提供する。【解決手段】  ＩＰ割当装置は、ＩＰ識別パケット内に含まれる所定デバイスのＩＰアドレスを読取ってＩＰ識別パケットを受信したデバイスのＩＰアドレスと同一であるか否かを判断するＩＰ制御部および読取ったＩＰアドレスがＩＰ識別パケットを受信したデバイスのＩＰアドレスと同一である場合、ＩＰ識別パケットを受信したデバイスのＩＰアドレスを再割当するＩＰ割当部を含む。【選択図】  図６
2007295571.tif 000002
【特許請求の範囲】
【請求項１】
デバイスのＩＰアドレスを含むＩＰ識別パケットを構成する構成部と、
前記ＩＰ識別パケットをネットワーク初期化過程でネットワーク上のデバイスにブロードキャストする第１送受信部とを含むＩＰ識別パケット構成装置。
【請求項２】
前記ＩＰ識別パケットは、複数のＩＰ識別パケットで構成されて順次ブロードキャストされ、前記複数のＩＰ識別パケット内に含まれる前記デバイスのＩＰアドレスは、所定長さの分割されたアドレスで構成される請求項１に記載のＩＰ識別パケット構成装置。
【請求項３】
前記ネットワークはＩＥＥＥ１３９４ネットワークであり、前記複数のＩＰ識別パケットは１つのパケット当たり３２ビット長で構成され、前記分割されたＩＰアドレスは１６ビット長で前記ＩＰ識別パケット内に含まれる請求項２に記載のＩＰ識別パケット構成装置。
【請求項４】
ＩＰ識別パケット内に含まれる所定デバイスのＩＰアドレスを読取り、前記ＩＰ識別パケットを受信したデバイスのＩＰアドレスと同一であるか否かを判断するＩＰ制御部と、
前記読取ったＩＰアドレスが前記ＩＰ識別パケットを受信したデバイスのＩＰアドレスと同一である場合、前記ＩＰ識別パケットを受信したデバイスのＩＰアドレスを再割当するＩＰ割当部とを含むＩＰ割当装置。
【請求項５】
前記ＩＰ識別パケットは、ネットワーク初期化過程で複数のＩＰ識別パケットで構成されて順次ブロードキャストされ、前記複数のＩＰ識別パケット内に含まれる前記デバイスのＩＰアドレスは、所定長さの分割されたアドレスで構成される請求項４に記載のＩＰ割当装置。
【請求項６】
前記ネットワークは、ＩＥＥＥ１３９４ネットワークである請求項５に記載のＩＰ割当装置。
【請求項７】
前記複数のＩＰ識別パケットは１つのパケット当たり３２ビット長で構成され、前記分割されたＩＰアドレスは１６ビット長で前記ＩＰ識別パケット内に含まれる請求項６に記載のＩＰ割当装置。
【請求項８】
デバイスのＩＰアドレスを含むＩＰ識別パケットを構成するステップと、
前記ＩＰ識別パケットをネットワーク初期化過程でネットワーク上のデバイスにブロードキャストするステップとを含むＩＰ識別パケット構成方法。
【請求項９】
前記ＩＰ識別パケットは、複数のＩＰ識別パケットで構成されて順次ブロードキャストされ、前記複数のＩＰ識別パケット内に含まれる前記デバイスのＩＰアドレスは、所定長さの分割されたアドレスで構成される請求項８に記載のＩＰ識別パケット構成方法。
【請求項１０】
前記ネットワークはＩＥＥＥ１３９４ネットワークであり、前記複数のＩＰ識別パケットは１つのパケット当たり３２ビット長で構成され、前記分割されたＩＰアドレスは１６ビット長で前記ＩＰ識別パケット内に含まれる請求項９に記載のＩＰ識別パケット構成方法。
【請求項１１】
ＩＰ識別パケット内に含まれる所定デバイスのＩＰアドレスを読取り、前記ＩＰ識別パケットを受信したデバイスのＩＰアドレスと同一であるか否かを判断するステップと、
前記読取ったＩＰアドレスが前記ＩＰ識別パケットを受信したデバイスのＩＰアドレスと同一である場合、前記ＩＰ識別パケットを受信したデバイスのＩＰアドレスを再割当するステップとを含むＩＰ割当方法。
【請求項１２】
前記ＩＰ識別パケットは、ネットワーク初期化過程で複数のＩＰ識別パケットで構成されて順次ブロードキャストされ、前記複数のＩＰ識別パケット内に含まれる前記デバイスのＩＰアドレスは、所定長さの分割されたアドレスで構成される請求項１１に記載のＩＰ割当方法。
【請求項１３】
前記ネットワークは、ＩＥＥＥ１３９４ネットワークである請求項１２に記載のＩＰ割当方法。
【請求項１４】
前記複数のＩＰ識別パケットは１つのパケット当たり３２ビット長で構成され、前記分割されたＩＰアドレスは１６ビット長で前記ＩＰ識別パケット内に含まれる請求項１３に記載のＩＰ割当方法。
【発明の詳細な説明】
【技術分野】
【０００１】
本発明は、ＩＰ識別パケット構成およびＩＰ割当装置、これを用いたＩＰ識別パケット構成およびＩＰ割当方法に関し、より詳しくは、ネットワーク初期化過程でＩＰアドレスを含むパケット伝送によってデバイス間のＩＰ衝突を事前に防止し、効率的なＩＰ通信を支援するＩＰ識別パケット構成およびＩＰ割当装置、これを用いたＩＰ識別パケット構成およびＩＰ割当方法に関するものである。
【背景技術】
【０００２】
デジタル映像／音声（以下「ＡＶ」という）処理技術の画期的な発達と共に、デジタルＴＶ、セットトップボックス、ＤＶＤ再生機、デジタルアンプなど多様なＡＶ機器が家庭や事務室内に設けられて用いられている。また、複数のＡＶ機器を相互連動させて１つにシステム化し、ユーザがシステム化されたＡＶ機器を簡便に制御することができるようにする技術が研究されてきた。
【０００３】
このような研究の一環として、ＡＶホームネットワーキングのためのミドルウェアのＸＨＴ（ｅＸｐａｎｄａｂｌｅ  Ｈｏｍｅ  Ｔｈｅａｔｅｒ）技術標準が開発されて提示された。このようなＸＨＴ技術は、三星電子（株）が開発したデジタルＴＶ中心のホームネットワークソリューションであって、米国家電協会（ＣＥＡ：Ｃｏｎｓｕｍｅｒ  Ｅｌｅｃｔｒｏｎｉｃｓ  Ａｓｓｏｃｉａｔｉｏｎ）の標準規格に採択された。
【０００４】
ＸＨＴ技術は、複数のＨＤ（高精細度）級の信号を安定して伝達できるＩＥＥＥ１３９４ケーブルと、インターネットで主に用いられる通信規格のインターネットプロトコルを用いてデジタルＴＶと連結されたＡＶ機器はもちろん何台のデジタルＴＶを制御することができるようにする。ＸＨＴ技術を用いれば、部屋でも居間にあるデジタルＴＶのデジタル放送受信機能を活用して、デジタル放送を視聴することができる。また、ＸＨＴ技術を用いた廉価型放送受信装置（ＮＩＵ；ネットワークインターフェースユニット）はメモリカード形態になっていて、地上波、衛星およびケーブルなどの受信方式にともなう変更が容易であり、放送事業者の経済的負担を節減させている。特にＸＨＴ技術は、デジタルＴＶに内蔵されたブラウザーを介して多様な形態のポータルサービスが可能である。
【０００５】
一方、ＸＨＴシステムは、ＩＥＥＥ１３９４に基づいてＩＥＣ６１８８３を用いたデータストリーム伝送とＡＶ／Ｃを用いた機器間制御およびＨＴＴＰ／ＣＥＡ２０２７に基づいたＧＵＩ（グラフィックユーザインターフェース）伝送を基本的な構造とする。
【０００６】
また、前記ＸＨＴシステムは、ＩＥＥＥ１３９４バスを基に構成され、ＩＥＥＥ１３９４は伝送無欠性が保障される非同期伝送とリアルタイム伝送が保障される等時性伝送を支援する。また、ＸＨＴシステムは、ＩＥＥＥ１３９４バスを基にＩＥＣ６１８８３規約によりデータストリームを伝送し、ＩＥＣ６１８８３はＩＥＥＥ１３９４上でリアルタイムストリームデータを伝送するための規約としてストリーム種類別に伝送形式および規約を定めている。
【０００７】
前記ＩＥＥＥ１３９４でＩＰアドレス配分のための規約としてＨＮＣＰ（Ｈｏｍｅ  Ｎｅｔｗｏｒｋ  Ｃｏｎｔｒｏｌ  Ｐｒｏｔｏｃｏｌ）があり、コンフィギュレーションＲＯＭの内容のうちＥＩＡ７７５．１の内容を調べればＨＮＣＰ関連情報を得ることができる。コンフィギュレーションＲＯＭのアドレスは、例えば０ｘ４００〜０ｘ８００であって、ＩＥＥＥ１３９４  Ｃｏｒｅ  ＣＳＲに定義されている。したがって、ネットワーク上の機器がパケットを伝送する時、用いたアドレスが０ｘ４００〜０ｘ８００内にあるかを調べ、０ｘ４００〜０ｘ８００の範囲のアドレス内にある場合、コンフィギュレーションＲＯＭパケットであると判断するようになる。
【０００８】
図１は、従来のＩＥＥＥ１３９４ネットワークの初期化過程を示す。
ＩＥＥＥ１３９４ネットワークの初期化過程、すなわちケーブルコンフィギュレーション過程は、バス初期化過程（Ｓ１１）と、ツリー識別過程（Ｓ１２）と、自己識別過程（Ｓ１３）とから形成される。
【０００９】
先ず、バス初期化過程（Ｓ１１）で、新しいデバイスがバスに連結する度に、バスリセットシグナルは以前のトポロジー情報をクリアするという特別な状態になるようにデバイスに指示する。この時、各ポートの連結状態は、物理ツリーに内部的に格納されている。
【００１０】
ツリー識別過程（Ｓ１２）において、ネットワークをツリートポロジに変換するという過程を進むようになる。前記ツリートポロジ（ｔｒｅｅ  ｔｏｐｏｌｏｇｙ）は各デバイスが物理的なデバイス識別（ｐｈｙｓｉｃａｌ  ｎｏｄｅ  ｉｄｅｎｔｉｆｉｃａｔｉｏｎ）が割り当てられた状態として構成され、この時のツリートポロジには１つのデバイスがルートと指定されている。前記ルートデバイスにより近く連結されているデバイスは、親デバイスと呼ばれ、前記ルートデバイスからより遠く連結されているデバイスは子デバイスと呼ばれる。したがって、ツリー識別過程が完了すれば、ツリートポロジは親または子と呼ばれるようになるデバイスに連結されたポートによって構成される。
【００１１】
自己識別過程（Ｓ１３）で、各デバイスは唯一の（ｕｎｉｑｕｅ）物理的な識別（ｐｈｙｓｉｃａｌ  ｉｄｅｎｔｉｆｉｃａｔｉｏｎ）、またはデバイスアドレスを選択する過程を行い。すなわち、前記自己識別過程は、ツリー構造によって自身の位置に依存する物理的な識別ナンバを選択する手続きを用いる。ルートデバイスは、自身の最も低いナンバに連結されたポートに取付けられたデバイスにバスの制御を付与する。前記ポートに取付けられたデバイスおよび子のデバイスが識別されれば、シグナルが、識別過程が完了したことを示すルートデバイスに伝送される。以後、ルートデバイスは自身の次に最も高いナンバに連結されたポートに制御を伝送して前記過程を繰り返す。物理的な識別ナンバは、単純に時間のナンバをカウントしたものであり、前記時間は好ましくは１つのデバイスが自身の識別ナンバを伝送する前に他のデバイスから自己識別情報を受信するのにかかる時間であり得る。
【００１２】
一方、ケーブルアーキテクチャーは、１００、２００、および４００Ｍｂｐｓなどのデータ伝送率を支援し、この時、１００Ｍｂｐｓは基本伝送率を示す。各デバイスは自身の自己識別パケットの部分で自身のスピード容量を伝送する。各デバイスはデバイスの自己識別過程の最後に親デバイスを含むスピード情報をお互いに交換し、前記スピード容量は両側デバイス間に記録される。デバイスはすでに自身の自己識別情報を親デバイスに伝送する前に子デバイスから自己識別情報を受信したため、自身のポートに連結されたデバイスの記録を有するようになる。
【００１３】
前記自己識別パケットには、自己識別パケット指定子、伝送側の物理的なデバイス指定子、伝送側のスピード容量、最悪の場合のリピータデータ遅延（ｗｏｒｓｔ−ｃａｓｅ  ｒｅｐｅａｔｅｒ  ｄａｔａ  ｄｅｌａｙ）、パワー消耗量、ソース特性、ポート状態、伝送デバイスの特性に関する関連情報などを含む。
【００１４】
図２は、従来のデバイス間のＩＰアドレス衝突時にＩＰアドレスを再割当する過程を示す。
先ず、図１のＩＥＥＥ１３９４ネットワークの初期化過程のバス初期化過程、ツリー識別過程および自己識別過程を経るようになる（Ｓ２１）。
【００１５】
次のステップで、デバイスはコンフィギュレーションＲＯＭに格納されたＧＵＩＤ（Ｇｌｏｂａｌｌｙ  Ｕｎｉｑｕｅ  Ｉｄｅｎｔｉｆｉｅｒ）を用いてＨＮＣＰマネジャーを決定するようになる（Ｓ２２）。例えば、前記ＨＮＣＰではＧＵＩＤ（例えば６４ビットのｕｎｉｑｕｅ  ＩＤ）のリバースビットを計算して、最大値を有するデバイスをマネジャーとして指定するようになる。
【００１６】
ＨＮＣＰマネジャーが決定された後には、ＨＮＣＰマネジャーとして決定されたデバイスがＩＰ通信を支援するＩＥＥＥ１３９４デバイスのＩＰアドレス領域を読取り、ＩＰ衝突が存在するか否かを確認する（Ｓ２３）。前記ＩＰアドレスはデバイスそのものに固定されているＲＯＭなどの非揮発性メモリに格納されており、前記ＩＰアドレスを用いてＩＥＥＥ１３９４ネットワークに参加するようになる。また、デバイスはメモリ領域にＩＰアドレスを指定しておき、他のデバイスがＩＰアドレスを読取ったり変更したりすることができるようにする。
【００１７】
ＨＮＣＰマネジャーは、デバイス間のＩＰアドレスの衝突があればＩＰアドレスを再割当して変更するようになる（Ｓ２４）。
【００１８】
図１および図２の過程に対するより具体的な説明は、ＩＥＥＥ１３９４スペック（ＩＥＥＥ１３９４、ＩＥＥＥ１３９４．ａなど）およびＥＩＡ７７５−１スペックに記述されている内容を参照する。
【００１９】
上記のように、前記ＩＰアドレスを再割当するためには、図１のネットワーク初期化過程がなされなければならず、また、ＨＮＣＰマネジャーが決定されるべきで、前記決定されたＨＮＣＰマネジャーがデバイスのＩＰアドレス領域を読取り、衝突が存在するか否かを確認する過程を経なければならない。したがって、デバイス間のＩＰアドレスの衝突が発生した場合、ＩＰアドレスを再割当して衝突を除去するまでに相当な時間が遅れるようになり、また、ＩＰアドレスの再割当過程でネットワークトラフィックを増加させるようになる。それ以外にもＩＰアドレスを再割当する過程が複雑で、実現が困難であるという問題点がある。
【００２０】
したがって、ＩＰアドレスの衝突を事前に防止してデバイスが安定してＩＰ通信ができるように保障する必要性が提起される。
【特許文献１】韓國公開特許第１０−２００５−０５０１１９号公報
【発明の開示】
【発明が解決しようとする課題】
【００２１】
本発明は、ＩＰ識別パケット構成およびＩＰ割当装置、これを用いたＩＰ識別パケット構成およびＩＰ割当方法を提供することにその目的がある。
本発明の目的は、以上で言及した目的に制限されず、言及していないまた他の目的は下記記載によって当業者が明確に理解できるものである。
【課題を解決するための手段】
【００２２】
前記目的を達成するために、本発明の一態様に係わるＩＰ識別パケット構成装置は、デバイスのＩＰアドレスを含むＩＰ識別パケットを構成する構成部およびＩＰ識別パケットをネットワーク初期化過程でネットワーク上のデバイスにブロードキャストする第１送受信部を含む。
【００２３】
本発明の他の態様に係わるＩＰ割当装置は、ＩＰ識別パケット内に含まれる所定デバイスのＩＰアドレスを読取り、ＩＰ識別パケットを受信したデバイスのＩＰアドレスと同一であるか否かを判断するＩＰ制御部および読取ったＩＰアドレスがＩＰ識別パケットを受信したデバイスのＩＰアドレスと同一である場合、ＩＰ識別パケットを受信したデバイスのＩＰアドレスを再割当するＩＰ割当部を含む。
【００２４】
本発明のまた他の態様に係わるＩＰ識別パケット構成方法は、デバイスのＩＰアドレスを含むＩＰ識別パケットを構成するステップと、ＩＰ識別パケットをネットワーク初期化過程でネットワーク上のデバイスにブロードキャストするステップとを含む。
【００２５】
本発明のまた他の態様に係わるＩＰ割当方法は、ＩＰ識別パケット内に含まれる所定デバイスのＩＰアドレスを読取って、ＩＰ識別パケットを受信したデバイスのＩＰアドレスと同一であるか否かを判断するステップと、読取ったＩＰアドレスがＩＰ識別パケットを受信したデバイスのＩＰアドレスと同一である場合、ＩＰ識別パケットを受信したデバイスのＩＰアドレスを再割当するステップとを含む。
【発明の効果】
【００２６】
上記のような、本発明のＩＰ識別パケット構成およびＩＰ割当装置、これを用いたＩＰ識別パケット構成およびＩＰ割当方法によれば、ネットワークの初期化過程においてデバイス間のＩＰ衝突を事前に防止してネットワークのトラフィックを最小化できる長所がある。
【発明を実施するための最良の形態】
【００２７】
その他、実施形態の具体的な事項は、詳細な説明および図面に含まれている。
本発明の利点および特徴、そしてそれらを達成する方法は、添付する図面と共に詳細に後述する実施形態を参照すれば明確になる。しかし、本発明は以下にて開示する実施形態に限定されず、互いに異なる多様な形態によって実施され、単に本実施形態は本発明の開示が完全なものとなるようにし、本発明が属する技術分野で通常の知識を有する者に発明の範疇を完全に知らせるために提供されるものであって、本発明は請求項の範疇によってのみ定義されるものである。明細書の全体に亘り、同一参照符号は同一構成要素を示す。
【００２８】
以下、添付した図面を参照して、本発明の好ましい実施形態を詳細に説明する。
【００２９】
図３は、本発明の一実施形態に係わるＩＰ識別パケット構成装置のブロック図である。
ＩＰ識別パケット構成装置３００はパケット構成部３１０および第１送受信部３２０を含む。
パケット構成部３１０はデバイスのＩＰアドレスを含むＩＰ識別パケットを構成する。
【００３０】
ＩＰ識別パケットは、ＩＥＥＥ１３９４、イーサネット（登録商標）および無線ランなど、多様なネットワークの初期化過程で構成され、ネットワーク上のデバイスにブロードキャストでき、ネットワーク上のデバイスはＩＰ識別パケットが伝送され、デバイス間のＩＰ通信を円滑に行うようにデバイス相互間のＩＰ重複チェックおよびＩＰ割当を行うようになる。例えば、ＩＥＥＥ１３９４ネットワークの初期化過程において、図１で説明された自己識別パケットにデバイスのＩＰアドレスを含めてＩＰ識別パケットを構成することができ、この時、前記デバイスはＸＨＴ標準に従うデバイスであり得る。
【００３１】
前記ＩＰアドレスは、ＩＰ識別パケットをブロードキャストするデバイスのＩＰアドレスであって、所定長さの分割されたアドレスで複数のＩＰ識別パケットの閾値領域（フィールド）に含まれる。例えば、複数のＩＰ識別パケットにデバイスの３２ビット長のＩＰアドレスを上位１６ビットＩＰアドレスと下位１６ビットＩＰアドレスに分割して、各々ＩＰ識別パケット内に含めて構成することができる。
【００３２】
また、前記ＩＰ識別パケットは、ＩＰ識別パケット当たりの所定の長さで構成されて順次ブロードキャストされることが好ましく、ＩＰ識別パケット内にＩＰ識別パケットの追加伝送があるかに関する情報を含んで構成することができる。例えば、ＩＥＥＥ１３９４ネットワークにおいて、１つのＩＰ識別パケット当たり３２ビット長で構成されて順次ブロードキャストされることができ、複数のＩＰ識別パケットに伝送される場合、ＩＰ識別パケット内にＩＰ識別パケットの追加伝送があるかに関する情報を含んで構成することができる。
【００３３】
ＩＰ識別パケットおよび自己識別パケットの構成は、以下図６および図８を参照するものとする。
第１送受信部３２０は、デバイスのＩＰアドレスを含む前記ＩＰ識別パケットをネットワーク上のデバイスにブロードキャストする。
【００３４】
ＩＰ識別パケットは、ＩＥＥＥ１３９４、イーサネット（登録商標）および無線ランなど多様なネットワークの初期化過程で構成され、ネットワーク上のデバイスにブロードキャストされることができる。ネットワークの初期化過程は、例えば新しいデバイスがネットワークの構成に挿入されたり脱着されたりした場合に発生することができ、この時新しいデバイスのＩＰアドレスを含むＩＰ識別パケットがネットワーク上のデバイスにブロードキャストされ、新しいデバイスのＩＰアドレスおよびその他多様な基本情報（例えばポートナンバ、デバイスナンバなど）を知らせるようになる。ネットワーク上のデバイスは自身のＩＰアドレスと受信したＩＰ識別パケット内のＩＰアドレスとを比較して自身のＩＰアドレスと衝突するか否かを判断し、ＩＰアドレスが同一である場合自身のＩＰアドレスを再割当（変更）して、デバイス間ＩＰ通信を円滑に行えるようにする。
【００３５】
例えば、図１のＩＥＥＥ１３９４ネットワークの初期化過程において、前記ＩＰ識別パケットはＩＥＥＥ１３９４ネットワークの初期化過程中の自己識別過程（Ｓ１３）に伝送されることが好ましく、この時、前記デバイスはＸＨＴ標準に従うデバイスであり得る。したがって、従来ＩＥＥＥ１３９４ネットワークの初期化過程以後、ＨＮＣＰマネジャーを決定して、ＨＮＣＰマネジャーとして決定されたデバイスがＩＰ通信を支援するＩＥＥＥ１３９４デバイスのＩＰアドレス領域を読取ってＩＰ衝突が存在するか否かを確認する手続きの代わりに、ＩＥＥＥ１３９４ネットワークの初期化過程においてデバイス間で直ちにＩＰアドレスの衝突有無を判断できる。
【００３６】
また、３２ビット長で構成されたＩＰ識別パケットを２回に分割して伝送することによって、ネットワークトラフィックを減少させることができる。すなわち、ＩＰ識別パケットをブロードキャストしたデバイスのＩＰアドレスを１６ビット長に分割してＩＰ識別パケット内に構成し、ＩＰ識別パケットをネットワーク上のデバイスに２回伝送して、ＩＰ識別パケットを受信したデバイスが２回に亘るＩＰ識別パケットの受信によって完全なＩＰ識別パケットをブロードキャストしたデバイスのＩＰアドレスを得られるようにできる。
【００３７】
図４は、本発明の一実施形態に係わるＩＰ割当装置のブロック図である。
ＩＰ割当装置４００は、第２送受信部４１０、ＩＰ制御部４２０、およびＩＰ割当部４３０を含む。
第２送受信部４１０は、デバイスのＩＰアドレスを含むＩＰ識別パケットを受信する。
ＩＰ識別パケットは、ＩＥＥＥ１３９４、イーサネット（登録商標）および無線ランなど多様なネットワークの初期化過程で構成して、ネットワーク上のデバイスの間で送受信が可能である。例えばＩＥＥＥ１３９４ネットワークの初期化過程において、図１で説明された自己識別パケットにデバイスのＩＰアドレスを含めてＩＰ識別パケットを構成して伝送すれば、ネットワーク上のデバイスはＩＰ識別パケットを受信して、デバイス間のＩＰ通信を円滑に行うようにデバイス相互間のＩＰ重複チェックおよびＩＰ割当を行うようになる。
【００３８】
また、図３で説明したように、前記ＩＰアドレスはＩＰ識別パケットをブロードキャストするデバイスのＩＰアドレスであって、所定長さの分割されたアドレスを複数のＩＰ識別パケットのフィールドに含むことができる。例えば、複数のＩＰ識別パケットにデバイスの３２ビット長のＩＰアドレスを上位１６ビットＩＰアドレスと下位１６ビットＩＰアドレスに分割して、各々ＩＰ識別パケットに含めて構成することができる。したがって、ＩＰ識別パケットを第２送受信部４１０を介して受信したデバイスは、完全な３２ビット長のＩＰアドレスを複数のＩＰ識別パケットから得ることができるようになる。
【００３９】
また、ＩＰ識別パケットは、ＩＰ識別パケット当たりの所定の長さで構成されて順次ブロードキャストされることが好ましく、ＩＰ識別パケット内にＩＰ識別パケットの追加伝送があるかに関する情報を含んで構成することができる。例えば、ＩＥＥＥ１３９４ネットワークにおいて、１つのＩＰ識別パケット当たり３２ビット長で構成されて順次ブロードキャストされ、複数のＩＰ識別パケットとしてブロードキャストされる場合、ＩＰ識別パケット内にＩＰ識別パケットの追加伝送があるかに関する情報を含んで構成することができる。
【００４０】
ＩＰ制御部４２０は、前記ＩＰ識別パケット内に含まれるデバイスのＩＰアドレスを読取り、前記ＩＰ識別パケットを受信したデバイスのＩＰアドレスと同一であるか否かを判断する。
【００４１】
ＩＰ識別パケットを受信したデバイスは、ＩＰ識別パケット内に含まれるＩＰ識別パケットをブロードキャストしたデバイスのＩＰアドレスを読取り、自身のＩＰアドレスと同一であるか否かを判断する。例えば、ＩＥＥＥ１３９４ネットワークにおいて、ＩＰ識別パケットをブロードキャストしたデバイスのＩＰアドレスを１６ビット長に分割してＩＰ識別パケット内に含めてＩＰ識別パケットをネットワーク上のデバイスに２回伝送する場合、ＩＰ識別パケットを受信したデバイスは複数のＩＰ識別パケットを読取ってＩＰ識別パケットをブロードキャストしたデバイスのＩＰアドレスを得ることができるようになる。ＩＰ識別パケットをブロードキャストしたデバイスのＩＰアドレスを得た後、ＩＰ識別パケットを受信したデバイスのＩＰアドレスと比較して同一であるか否かを判断する。
【００４２】
ＩＰ割当部４３０は、前記読取ったＩＰアドレスが前記ＩＰ識別パケットを受信したデバイスのＩＰアドレスと同一である場合、前記ＩＰ識別パケットを受信したデバイスのＩＰアドレスを再割当する。
【００４３】
例えば、ＩＥＥＥ１３９４ネットワークにおいて、従来にはＨＮＣＰマネジャーを決めた後、決定されたＨＮＣＰマネジャーがデバイスのＩＰアドレス領域を読取ってＩＰアドレスの衝突が存在するか否かを確認し、ＩＰアドレスがデバイス間で衝突する場合再割当する過程を介してＩＰアドレスを変更（再割当）した。しかし、本実施形態を通して、ネットワーク初期化過程においてデバイス相互間のＩＰアドレスの同一性有無を判断して再割当することによって、事前にＩＰアドレスの衝突を防止できるようになる。
【００４４】
図３の構成要素は、技術的実現によって図４に含まれて構成されたり、類似機能をする構成要素を統合したりすることができる。例えば図３の第１送受信部３２０および図４の第２送受信部４１０を１つの送受信手段で構成したり、パケット構成部３１０を図４に含めて構成したりすることができる。
【００４５】
また、図３および図４で示された各々の構成要素は、ソフトウェア構成要素またはＦＰＧＡ（フィールドプログラマブルゲートアレイ）またはＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）と同じハードウェア構成要素によって実現される。しかし、ソフトウェアまたはハードウェアに限定される意味ではない。前記構成要素は、アドレッシングできる格納媒体にあるように構成することもできるが、またはそれ以上のプロセッサを実行させるように構成することもできる。したがって、一例として前記構成要素はソフトウェア、オブジェクト指向ソフトウェア、クラスおよびタスクのような要素と、プロセス、関数、属性、プロシージャ、サブルーチン、プログラムコードのセグメント、ドライバ、ファームウェア、マイクロコード、回路、データ、データベース、データ構造、テーブル、アレイ、および変数を含む。前記構成要素は、さらに小さい構成要素に細分化したり前記構成要素中複数の構成要素を合わせたりして、１つの構成要素として示すこともできる。
【００４６】
図３および図４のＩＰ識別パケット構成およびＩＰ割当装置を用いたＩＰ識別パケット構成およびＩＰ割当方法を、以下図５に後述する。
【００４７】
図５は、本発明の一実施形態に係わるＩＰ識別パケット構成およびＩＰ割当方法のフローチャートである。
図３および図４で重複した説明は省略することにし、ＩＰ識別パケット構成およびＩＰ割当方法の各ステップについて、以下説明する。
【００４８】
ＩＰ識別パケットは、ＩＥＥＥ１３９４、イーサネット（登録商標）および無線ランなど、多様なネットワークの初期化過程において構成され、ネットワーク上のデバイスにブロードキャストされる。ネットワークの初期化過程は、例えば新しいデバイスがネットワークの構成に挿入されたり脱着されたりする場合に発生することができ、この時、新しいデバイスのＩＰアドレスを含むＩＰ識別パケットがネットワーク上のデバイスにブロードキャストされ、新しいデバイスのＩＰアドレスおよびその他の多様な基本情報（例えばポートナンバ、デバイスナンバなど）を知らせるようになる。ネットワーク上のデバイスは、自身のＩＰアドレスと受信したＩＰ識別パケット内のＩＰアドレスとを比較して、自身のＩＰアドレスと衝突するか否かを判断し、ＩＰアドレスが同一である場合、自身のＩＰアドレスを再割当（変更）してデバイス間のＩＰ通信を円滑に行えるようにする。
【００４９】
ＩＰ識別パケット構成のために、先ずデバイスのＩＰアドレスを含むＩＰ識別パケットをパケット構成部３１０を介して構成する（Ｓ５０１）。例えば、３２ビット長のＩＰアドレスを上位１６ビットＩＰアドレスと下位１６ビットＩＰアドレスに分割し、各々ＩＰ識別パケット内に含めて構成することができる。また、ＩＥＥＥ１３９４ネットワークにおいて、１つのＩＰ識別パケット当たり３２ビット長で構成され、複数のＩＰ識別パケットが順次ネットワーク上のデバイスにブロードキャストされ得る。
【００５０】
構成されたデバイスのＩＰアドレスを含む前記ＩＰ識別パケットをネットワーク上のデバイスに第１送受信部３２０を介してブロードキャストする（Ｓ５１１）。
以後、前記ＩＰ識別パケットを受信したデバイスは、以下のステップ（Ｓ５２１〜Ｓ５４１）を行うようになる。
デバイスのＩＰアドレスを含むＩＰ識別パケットを第２送受信部４１０を介して受信する（Ｓ５２１）。
前記ＩＰ識別パケット内に含まれるデバイスのＩＰアドレスを読取り、前記ＩＰ識別パケットを受信したデバイスのＩＰアドレスと同一であるか否かをＩＰ制御部４２０を介して判断する（Ｓ５３１）。
【００５１】
前記読取ったＩＰアドレスが前記ＩＰ識別パケットを受信したデバイスのＩＰアドレスと同一である場合、前記ＩＰ識別パケットを受信したデバイスのＩＰアドレスをＩＰ割当部４３０を介して再割当する（Ｓ５４１）。
【００５２】
図６は、本発明の一実施形態に係わるＩＰ識別パケットの構成を示す。
図６（ａ）に示すように、ナンバフィールド６０２はデバイスのナンバに関する情報、パケットナンバフィールド６０４は、パケットのインデックスに関する情報を含み、例えば、最初伝送されるパケットの場合「１」、次に伝送されるパケットの場合「２」と表すようにする。前記フィールド６０２，６０４は、他の実施形態では省略することができる。
【００５３】
ＩＰアドレスフィールド６０６は、デバイスのＩＰアドレスに関する情報を含む。例えば、ＩＰ識別パケットが複数のパケットから構成される場合、ＩＰアドレスを上位１６ビット長のＩＰアドレスと下位１６ビット長のＩＰアドレスとして複数のＩＰ識別パケット内に分割されたアドレスから構成することができる。
【００５４】
追加ＩＰ識別パケットフィールド８０８は、追加伝送されるＩＰ識別パケットが存在するか否かを示すようになる。例えば、複数のＩＰ識別パケットが構成されて順次ブロードキャストされる場合、追加ＩＰ識別パケットフィールド８０８が「１」と表され、追加伝送されるＩＰ識別パケットが存在することを示す。
【００５５】
図６（ｂ）に示すように、ＩＰアドレスフィールド６０６ｂは、図６（ａ）に示すように、デバイスのＩＰアドレスに関する情報を含む。例えば、図６（ａ）のＩＰアドレスフィールド６０６でデバイスの上位１６ビット長のＩＰアドレスを含む場合、残りの下位１６ビット長のＩＰアドレスをＩＰアドレスフィールド６０６ｂに含めることができる。したがって、前記ＩＰ識別パケットを２回に亘って伝送されたデバイスは完全なＩＰアドレスを得ることができ、ＩＰ識別パケットを受信したデバイスはＩＰアドレスを読取り、自身のＩＰアドレスと比較するようになる。デバイスは、ＩＰ識別パケット内に含まれるＩＰアドレスが自身のＩＰアドレスと同一である場合、自身のＩＰアドレスを変更するようになる。したがって、ＩＰアドレスの衝突を事前に防止し、従来のＩＰアドレスを再割当してデバイス間のＩＰ衝突を除去するまでの時間遅延の問題を解消し、また、前記ＩＰアドレスの再割当過程で発生したネットワークトラフィックの増加を減らすことができる。
【００５６】
ＩＰ識別パケットの追加ＩＰ識別パケットフィールド８０８ｂの値は、図６（ａ）で示すように、追加伝送されるＩＰ識別パケットが存在するか否かを示すようになる。例えば、追加ＩＰ識別パケットフィールド８０８は、「０」と表され、追加伝送されるＩＰ識別パケットが存在せずに最後に伝送されたパケットであることを示す。
【００５７】
ナンバフィールド６０２ｂ、パケットナンバフィールド６０４ｂに関する内容は、図６（ａ）のフィールド６０２，６０４の内容を参照する。また、図６に示した各パケット内の各フィールドの構成は、技術的実現によって異なることは当然であり、必要なフィールドをさらに追加したり削除したりすることができ、さらに、各フィールドの長さを調節することができる。参考にする引用文献として、ＩＥＥＥ１３９４スペック（ＩＥＥＥ１３９４、ＩＥＥＥ１３９４．ａなど）およびＥＩＡ／ＣＥＡ７７５−１スペックを参照する。
【００５８】
図７は、本発明の一実施形態に係わるＩＰ識別パケット構成およびＩＰ割当方法のフローチャートである。
ＩＥＥＥ１３９４ネットワークの初期化過程において、ＩＰ識別パケット構成およびＩＰ割当方法に対して説明する。
ＩＥＥＥ１３９４ネットワークの初期化過程において、先ずバス初期化過程（Ｓ７０１）およびツリー識別過程（Ｓ７１１）を経るようになる。前記ステップ（Ｓ７０１、Ｓ７１１）は、図１のＳ１１およびＳ１２ステップに対する説明を参照することとし、好ましくは図１の自己識別過程（Ｓ１３）に以下のステップ（Ｓ７２１〜Ｓ７６１）を含め、ネットワーク上のデバイス間のＩＰアドレスの衝突を防止するためのＩＰ識別パケットを構成してネットワーク上のデバイスでＩＰ識別パケットを送受信するようになる。以下、各ステップ別に具体的に説明し、図３および図４と重複した説明は省略することにする。
【００５９】
バス初期化過程（Ｓ７０１）およびツリー識別過程（Ｓ７１１）以後、好ましくは図１の自己識別過程（Ｓ１３）において以下の図８に示す自己識別パケットを伝送し、デバイスのＩＰアドレスを含む図６のＩＰ識別パケットを、構成部３１０を介して構成する（Ｓ７２１）。前記ＩＰアドレスは、前記ＩＰ識別パケットをブロードキャストするデバイスの所定長さのＩＰアドレスであって、好ましくは１６ビット長の分割されたアドレスでＩＰ識別パケットのフィールドに含まれており、また、ＩＰ識別パケットはＩＰ識別パケットの追加伝送があるかに関する情報を含む。また、ＩＰ識別パケットは好ましくは、１つのパケット当たり３２ビット長で構成されて伝送され、したがってＩＰ識別パケットを受信したデバイスは複数のＩＰ識別パケットを介して完全なＩＰアドレスを得ることができるようになる。
【００６０】
前記ＩＰ識別パケットをネットワーク上のデバイスから第１送受信部３２０を介してＩＥＥＥ１３９４ネットワーク上のデバイスに伝送する（Ｓ７３１）。前記ＩＰ識別パケットは３２ビット長の複数のＩＰ識別パケットで構成されて順次ブロードキャストされ、ＩＰ識別パケットはＩＰ識別パケットの追加伝送があるかに関する情報を含む。例えば、ＩＰ識別パケットの追加伝送がある場合、ＩＰ識別パケット内の所定のフィールドに「１」と表し、ＩＰ識別パケットの追加伝送がない場合にはＩＰ識別パケット内の所定のフィールドに「０」と表すことができる。
【００６１】
以後、前記ＩＰ識別パケットを受信したデバイスは、以下のステップ（Ｓ７４１〜Ｓ７６１）を行うようになる。
デバイスのＩＰアドレスを含むＩＰ識別パケットを第２送受信部４１０を介して受信する（Ｓ７４１）。前記ＩＰアドレスは、前記ＩＰ識別パケットをブロードキャストするデバイスの所定長さのＩＰアドレスであって、好ましくは１６ビット長の分割されたアドレスによってＩＰ識別パケットのフィールドに含まれており、また、ＩＰ識別パケットはＩＰ識別パケットの追加伝送があるかに関する情報を含む。したがって、ＩＰ識別パケットを受信したデバイスは、ＩＰ識別パケットの追加伝送があるかに関する情報を含むフィールドを読取り、追加伝送されるＩＰ識別パケットの有無が分かるようになり、受信したＩＰ識別パケットを介して完全なＩＰアドレスが分かるようになる。すなわち、ＩＰ識別パケットは好ましくは１つのパケット当たり３２ビット長で構成されて伝送され、ＩＰ識別パケットには１６ビット長の分割されたＩＰアドレスが含まれており、ＩＰ識別パケットを受信したデバイスは複数のＩＰ識別パケットを介して完全な３２ビットＩＰアドレスを得ることができるようになる。
【００６２】
前記ＩＰ識別パケット内に含まれるデバイスのＩＰアドレスを読取り、前記ＩＰ識別パケットを受信したデバイスのＩＰアドレスと同一であるか否かをＩＰ制御部４２０を介して判断する（Ｓ７５１）。前記複数のＩＰ識別パケットを受信したデバイスは、自身のＩＰアドレスとＩＰ識別パケット内に含まれるＩＰアドレスを比較して、同一性有無を判断するようになる。例えば、ＩＰアドレスは１６ビットの長さに分割されてＩＰ識別パケット内に含まれて伝送されるため、デバイスは２回に亘りＩＰ識別パケットを受信して完全なＩＰアドレスを得ることができるようになり、３２ビットＩＰアドレスを読取って自身のＩＰアドレスと比較するようになる。
【００６３】
前記読取ったＩＰアドレスが前記ＩＰ識別パケットを受信したデバイスのＩＰアドレスと同一である場合、前記ＩＰ識別パケットを受信したデバイスのＩＰアドレスをＩＰ割当部４３０を介して再割当する（Ｓ７６１）。前記デバイスは、自身のＩＰアドレスと受信したＩＰ識別パケット内のＩＰアドレスが同一である場合、自身のＩＰアドレスを再割当して変更することにより、デバイス間のＩＰアドレスの衝突を未然に防止する。
【００６４】
図８は、本発明の一実施形態に係わる自己識別パケットの構成を示す。
ＩＥＥＥ１３９４ネットワーク初期化過程中、自己識別過程（Ｓ１３）で送受信される自己識別パケットのフィールドにＩＰ識別パケットに関する情報をさらに含めて構成する。
【００６５】
自己識別パケットは、３２ビットで構成され、ネットワーク上のデバイスに順次ブロードキャストされる。最初伝送される自己識別パケットのフィールド内に含まれる基本的な情報には（物理的な）ナンバ、リンクアクティブ、最大ホップ（ｈｏｐ）数、スピード、ＩＰ識別パケット支援、ルート可否、パワータイプ、ポート状態、初期化開始、および追加自己識別パケットに関する情報を含む。
【００６６】
図８（ａ）に示すように、最初伝送される自己識別パケットの構成において、ナンバフィールド８０２はデバイスのナンバに関する情報、リンクアクティブフィールド８０４は１ビットの長さでリンクのアクティブ状態に関する情報を含む。
【００６７】
最大ホップ数のフィールド８０６は、ＩＥＥＥ１３９４網での最大ホップ数に関する情報、スピードフィールド８０８はデバイスが支援する最大伝送スピードに関する情報（例えば１００Ｍｂｐｓ、２００Ｍｂｐｓ、４００Ｍｂｐｓなど）を含む。
【００６８】
ＩＰ識別パケット支援フィールド８１０は、ＩＰアドレスを含むＩＰ識別パケットの支援有無に関する情報を含み、例えばＩＰ識別パケット支援フィールド８１０値が「０１」である場合にはＩＰ識別パケットが支援されることを意味し、「００」である場合にはＩＰ識別パケットが支援されずに、従来の過程に従うようになることを意味する。ＩＰ識別パケットが支援される場合、図６のＩＰ識別パケットが自己識別パケットの伝送後、引き続き伝送されるようになる。
【００６９】
ルート可否フィールド８１２は、網でデバイスがルートになれるか否かに関する情報、パワータイプフィールド８１４はパワーを供給できるか否か関する情報を含み、ポートフィールド８１６は、例えばポート０〜ポート２までの存在／連結の有無などに関する情報を含む。
【００７０】
それ以外にも初期化開始フィールド８１８は初期化を開始したデバイスに関する情報、追加自己識別フィールド８２０は追加伝送される自己識別パケットがあるか否かに関する情報を含む。例えば、追加自己識別フィールド８２０が「１」である場合、追加伝送される自己識別パケットが存在することを意味し、追加自己識別フィールド８２０が「０」である場合、最後に伝送された自己識別パケットであることを意味する。
【００７１】
図８（ｂ）に示すように、最初伝送される自己識別パケット以後、追加伝送される自己識別パケットに含まれる情報には、ナンバ、パケットナンバ、ポート状態、追加自己識別パケットに関する情報を含む。
【００７２】
ポート状態フィールド８１６ｂは、最大８つのポートの存在／連結の有無などに関する情報を含み、１６ビット長で構成することができる。パケットナンバフィールド８２２は、パケットのインデックスに関する情報を含み、例えば最初伝送されるパケットである場合「１」、次に伝送されるパケットである場合「２」と表すようになる。その他、ナンバフィールド８０２ｂ、ＩＰ識別パケット支援フィールド８１０ｂおよび追加自己識別パケットフィールド８２０ｂに関する内容は、各々図８（ａ）のフィールド８０２，８１０，８２０の内容を参照する。
【００７３】
図８（ａ）および図８（ｂ）で、例えば追加自己識別パケットフィールド（８２０、８２０ｂ）の場合、すべて「１」で満たされ、図６で説明された追加伝送されるＩＰアドレスを含む自己識別パケット（すなわち、ＩＰ識別パケット）が存在することを示し、この時、ＩＰ識別パケット支援フィールド（８１０、８１０ｂ）の値が「０１」で満たされてＩＰ識別パケットが支援されることを示すことができる。したがって、ＸＨＴ標準に従ってＩＥＥＥ１３９４ネットワーク上に連結されている新しいデバイスが挿入／着脱された場合、図１のツリー識別過程（Ｓ１２）以後の自己識別過程（Ｓ１３）で、新しいデバイスが前記自己識別パケットを伝送した後、自身のＩＰアドレスを含む図６に示されたＩＰ識別パケットを引き続き伝送するようになる。
【００７４】
図８に示された各パケット内の各フィールドの構成は、技術的実現によって異なることは当然であり、必要なフィールドをさらに追加したり削除したりすることができ、また、各フィールドの長さを調節することができる。参考にする引用文献としてＩＥＥＥ１３９４スペック（ＩＥＥＥ１３９４、ＩＥＥＥ１３９４．ａなど）およびＥＩＡ／ＣＥＡ７７５−１スペックを参照する。
【００７５】
図９は、本発明の一実施形態に係わるＩＰ識別パケットによるＩＰ再割当過程の一例を示す。
ＩＰ識別パケットは、ＩＥＥＥ１３９４、イーサネット（登録商標）および無線ランなど、多様なネットワークの初期化過程で構成され、ネットワーク上のデバイスにブロードキャストされる。
【００７６】
先ず、デバイス１  ９１０が自身のＩＰアドレスを含むＩＰ識別パケットをブロードキャストする。前記ＩＰ識別パケットはデバイス１  ９１０のＩＰアドレスを含んでおり、複数のＩＰ識別パケットに分割されて伝送され得る。
【００７７】
例えば、ＸＨＴ標準に従ってＩＥＥＥ１３９４ネットワーク上に連結されている新しいデバイスが挿入／着脱された場合、図１のツリー識別過程（Ｓ１２）以後、自己識別過程（Ｓ１３）で、ルートデバイス９３０でから最も遠くにあるデバイス１  ９１０が前記自己識別パケットを伝送した後、自身のＩＰアドレスを含むＩＰ識別パケットを引き続き伝送するようになる。この時、ＩＰ識別パケットは好ましくは３２ビット長で複数のＩＰ識別パケットに分割され、２回伝送され、ＩＰ識別パケットにはデバイス１  ９１０のＩＰアドレスが分割され、１６ビット長で構成されて含まれている。
【００７８】
デバイス１  ９１０からＩＰ識別パケットを伝送されたルートデバイス９３０とデバイス２  ９２０とは、デバイス１  ９１０から伝送されたＩＰ識別パケット内のデバイス１  ９１０のＩＰアドレスと自身のＩＰアドレスとを比較して同一であるか否かを判断する。残りのデバイス９２０，９３０のＩＰアドレスが１０．１．１．１であるデバイス１  ９１０のＩＰアドレスと同一であるため、例えばデバイス２  ９２０とルートデバイス９３０とは自身のＩＰアドレスを１０．１．１．２に各々変更する。
【００７９】
再びデバイス２  ９２０が自身のＩＰアドレスを含むＩＰ識別パケットを伝送すれば、例えばデバイス２  ９２０と同一のＩＰアドレスを有するルートデバイス９３０は自身のＩＰアドレスを１０．１．１．３に変更（再割当）するようになり、デバイス１  ９１０は自身のＩＰアドレスとデバイス２  ９２０のＩＰアドレスが互いに異なるため、自身のＩＰアドレスをそのまま保持するようになる。
【００８０】
再びルートデバイス９３０が自身のＩＰアドレスを含むＩＰ識別パケットを伝送すれば、デバイス１  ９１０とデバイス２  ９２０とは、ルートデバイス９３０のＩＰアドレスと自身のＩＰアドレスとが互いに同一でないため、自身のＩＰアドレスをそのまま保持するようになる。
【００８１】
以上、添付した図面を参照して本発明の実施形態を説明したが、本発明が属する技術分野で通常の知識を有する者であれば、本発明がその技術的思想や必須の特徴を変更せず、他の具体的な形態によって実施することができるということを理解できる。したがって、以上で記述した実施形態はすべての面で例示的なものであり、限定的なものではないことを理解しなければならない。
【図面の簡単な説明】
【００８２】
【図１】従来ＩＥＥＥ１３９４ネットワークの初期化過程を示す。
【図２】従来デバイス間のＩＰアドレス衝突時にＩＰアドレスを再割当する過程を示す。
【図３】本発明の一実施形態に係わるＩＰ識別パケット構成装置のブロック図である。
【図４】本発明の一実施形態に係わるＩＰ割当装置のブロック図である。
【図５】本発明の一実施形態に係わるＩＰ識別パケット構成およびＩＰ割当方法のフローチャートである。
【図６】本発明の一実施形態に係わるＩＰ識別パケットの構成を示す。
【図７】本発明の一実施形態に係わるＩＰ識別パケット構成およびＩＰ割当方法のフローチャートである。
【図８】本発明の一実施形態に係わる自己識別パケットの構成を示す。
【図９】本発明の一実施形態に係わるＩＰ識別パケットによるＩＰ再割当過程の一例を示す。
【符号の説明】
【００８３】
３１０      パケット構成部
３２０      第１送受信部
４１０      第２送受信部
４２０      ＩＰ制御部
４３０      ＩＰ割当部
６０６、６０６ｂ    ＩＰアドレスフィールド
６０８、６０８ｂ    追加ＩＰ識別パケットフィールド
【図１】
2007295571.tif 000003
【図２】
2007295571.tif 000004
【図３】
2007295571.tif 000005
【図４】
2007295571.tif 000006
【図５】
2007295571.tif 000007
【図６】
2007295571.tif 000008
【図７】
2007295571.tif 000009
【図８】
2007295571.tif 000010
【図９】
2007295571.tif 000011